(57)【要約】      （修正有）【課題】散水ノズルを頻繁に変換しながら、各植栽にホースを持運ぶ必要がなく、人的労務負担の軽減と過剰散水の軽減が可能な低木植栽散水器具を提供する。【解決手段】低木植栽の根元に配置される散水器具であって、複数の散水孔を有する散水管１と、複数の接合部を有する散水分技管２と、給水ホースに接続される継手ホース３とを有し、散水分技管の接合部に散水管と継手ホ−スを接合する。散水管及び散水分技管は、植栽の立地または形状に関する条件に応じて選択可能とする。散水分技管を散水管より多少高く設置することで散水孔より水抜きが可能となり、凍結を防止できる。【選択図】図１
0003201787.tif 000002
【実用新案登録請求の範囲】
【請求項１】
従来、戸建住宅の庭、中小規模集合住宅（マンション・アパート）で様々な植栽に散水が行われているが、立地・形状・散水方法の違いで作業時間が定まらず時間制約のある管理業務では他作業が不履行となる要因と様々な植栽での移動散水はかなりの重労働のため、解消策として専門業者に散水を依頼することもあり、多大な費用負担を強いられている要因を極力軽減させ作業効率と経済的効果を向上させることにある。
【請求項２】
又、各々立地・形状が異なる低木植栽への散水は、建物内外の給水設備より植栽の根元（地面）に、考案の散水器具を配置して直接散水することで従来の専従作業からの脱却と無駄な散水を軽減させることにある。
【請求項３】
又、散水方法は従来方式ではなく、予め当該植栽の根元（地面）に配置した▲１▼散水管（直管の側面に数カ所の散水孔）＋▲２▼散水分技菅（直管で片面の数ヶ所に散水分技管接合機能）＋▲３▼継手ホースを給水設備に接合し、無人の散水の方式。
【請求項４】
又、散水器具は▲１▼散水菅▲２▼散水分技菅▲３▼継手ホースの３種で構成され、当該植栽の立地・形状・条件に適合した▲１▼・▲２▼・▲３▼の器材を選択・接合設置する事で全ての植栽に対応が可能となる。
【請求項５】
又、▲１▼散水菅の素材は管内部が目視確認の可能な硬質透明塩化ビニール管（内径１６ｍｍ）を採用した。
【請求項６】
又、散水菅の散水孔（孔径３ｍｍ）は散水菅の両端部より１０５ｍｍを基点に＠１４０ｍｍ間隔でパイプ芯下方２０°の両側に交互配置したことで、散水方向を分散させ、低木植栽の根元だけを広範囲に散水させる。
【請求項７】
又、▲２▼散水分技菅の素材は耐蝕・耐圧性のある硬質塩ビ水道管（不透明／内径１６ｍｍ）で片側に散水菅接合機能が＠１４０ｍｍ間隔で配置され、分技菅片端部の接続機能に▲３▼継手ホースを接合散水する。
【考案の詳細な説明】
【技術分野】
【０００１】この考案は、建築（造園）日用雑貨用品の形状・特性に関する。
【背景技術】
【０００２】従来、私有の戸建住宅の庭（菜園含む）中小集合住宅（マンション・アパート）建物内外の植栽（低木植栽）への散水は、室内外の給水設備から各々の植栽まで延長ホースを駆使し、ホースの先端部に接合した放水器具（散水可変ノズル）で散水しているが散水範囲が低木植栽の上面のみで、植栽の根元に十分な散水をするために、散水ノズルを頻繁に変換させながら散水場所の移動は限られた時間内の作業に影響し他の作業が不履行となるばかりか過剰な散水の要因にもなっている。
【考案の概要】
【考案が解決しようとする課題】
【０００３】従来の散水方法では作業効率及び経済効果向上は難易である。そこでこの考案は人的労務の軽減（作業効率の向上）と散水器具（経済効果の向上）の双方を提供することを課題とする。
【課題を解決するための手段】
【０００４】以上の課題を解決させるために第１の考案は従来の散水可変ノズル方式を器具据置方式（▲１▼散水菅▲２▼散水分技菅▲３▼接続ホースで構成）に変更し、植栽の根元に直接散水する方式を提供する。【０００５】第２の考案は提供する散水器具▲１▼散水管●Ｌ１＝３００（継手ホース）●Ｌ２＝４９０（両端：接続部）●Ｌ３＝７７０（両端：接続部）●Ｌ４＝１０５０（左：封鎖・右：接続部）●Ｌ５＝１３３０（左：封鎖・右：接続部）▲２▼散水分技菅●Ｌ６＝５３０（分技口：１）●Ｌ７＝８４０（分技口：２）●Ｌ８＝１０５０（分技口：３）▲３▼接続ホースＬ＝４２０（両端：接続部＋Ｔ型接続部）の組合せで全ての植栽に対応可能。又▲３▼継手ホースと給水ホースとの接続は接合部材（市販）【０００６】第３の考案は▲１▼散水管芯の水平面より地面側下方向角度２０°に＠１４０ｍｍ間隔で両側面交互に散水孔（３ｍｍφ）開けたことは短時間で直接植栽の根元に散水が可能になり、散水効率が大幅に向上する。又、パイプ内の残水は散水孔より下方位置のため、冬期中に凍結した場合でも散水管の損傷を回避でき、又凍結時でも散水は可能。▲２▼散水菅を透明にすることで、パイプ内の昆虫・砂利等の混入を早期発見ができる。【０００７】第４の考案は散水器具を各植栽内に常設することで従来の専従作業より解放される。
【考案の効果】
【０００８】第１考案、第２考案、第３考案で、従来の作業効率・散水効果を大幅に向上させるばかりか、労力負担の軽減で高年齢者及び婦女子の作業が増大する。又、散水作業にタイマーを併用することで、作業時間にゆとりが生まれ他作業への影響を軽減する。【０００９】第４考案は、各所の低木植栽内に考案の散水器具を常設にすることで低木植栽の散水が可能となり、従来の過剰散水から適合散水に転換でき、経済的効果に貢献できる。
【図面の簡単な説明】
【００１０】
【図１】本考案の構成図
【図２】本考案の部材の組合せ表
【図３】本考案の実施例図
【考案を実施するための形態】
【００１１】この実施形態によれば、考案部材の組合せで様々な植栽の全てに適合散水が可能。（［図２］▲１▼散水菅：１９通り・▲２▼分技菅：１０通り）
【００１２】又、散水は▲３▼接続ホースと給水ホースを接合して行うが、専従作業ではなく他作業と同時進行で植栽への散水（時間）は任意となるが、タイマーを併用することで制御が可能になり、作業効率の向上・内容の充実が図れる。又、様々な形態の植栽に適合器材を常設にすれば、人的作業の労務負担が軽減される。［００１０］
この考案の実施形態を図１に示す。低木植栽散水器具の素材は全て硬質塩ビで▲１▼散水菅▲２▼散水分技菅▲３▼接続ホースの３種で構成され、部材の端部は其々の機能を有している。
【符号の説明】
【００１３】▲１▼硬質（透明）塩ビ管▲２▼硬質（不透明）塩ビ管▲３▼耐圧（透明）ビニール管▲４▼硬質塩ビバルブソケット（凸）▲５▼硬質塩ビ継手ソケット（凹）▲６▼継手キャップ（エンド）▲７▼硬質塩ビ給水栓エルボ（Ｌ型）▲８▼硬質塩ビ給水栓チーズ（Ｔ型）▲９▼散水孔
【図１】
0003201787.tif 000003
【図２】
0003201787.tif 000004
【図３】
0003201787.tif 000005
【手続補正書】
【提出日】平成26年11月7日(2014.11.7)
【手続補正１】
【補正対象書類名】実用新案登録請求の範囲
【補正対象項目名】全文
【補正方法】変更
【補正の内容】
【実用新案登録請求の範囲】
【請求項１】
戸建住宅の庭、中小規模集合住宅で様々な立地・形状で散水設備がない植栽の散水方法を３種類の器材を組合せ・接合することで全ての植栽への散水を可能にする機能を有する散水器具。
【請求項２】
様々な立地・形状の植栽への散水は、敷地内の給水設備より植栽の根元に直接散水する方式で従来の専従労務からの開放と無駄な散水を軽減させることを特徴とする請求項１記載の散水器具。
【請求項３】
散水方法は当該植栽の根元に配置した３種類の器材に給水ホースを接合して、無人の散水する方式を特徴とする請求項１記載の散水器具。
【請求項４】
散水器具は「散水管」、「散水分枝管」、「継手ホース」の３種類で構成され、当該植栽の立地・形状・条件に適合した「散水管」、「散水分枝管」を選択・接合し「散水分枝管」の端部に「継手ホース」を接合する方式を特徴とする請求項１記載の散水器具。
【請求項５】
「散水管」の素材は管内部の目視確認が可能な内径１６ｍｍの透明な硬質塩化ビニール管を採用したことを特徴とする請求項１記載の散水器具。
【請求項６】
「散水管」に両端部から１０５ｍｍを基点にして１４０ｍｍ間隔で散水管芯下方２０°の角度で両側に孔径３ｍｍの散水孔を交互配置し、散水方向を分散させて低木植栽の根元だけを広範囲に散水することを特徴とする請求項１記載の散水器具。
【請求項７】
「散水分枝管」の素材は耐蝕・耐圧性のある内径１６ｍｍの硬質塩ビ水道管で片側に散水菅接合機能が１４０ｍｍ間隔で配置され、「散水分枝管」の端部接続機能に「継手ホース」を接合する方式を特徴とする請求項１記載の散水器具。
【手続補正書】
【提出日】平成27年1月22日(2015.1.22)
【手続補正１】
【補正対象書類名】実用新案登録請求の範囲
【補正対象項目名】全文
【補正方法】変更
【補正の内容】
【実用新案登録請求の範囲】
【請求項１】
従来の戸建住宅の大庭、中小規模集合住宅の低木植栽への散水では樹木の成長に伴い植栽の形状・形態が変化する事で従来の散水栓から延長ホース先端に接合した散水器具の散水口を可変し放水レバーを手動で操作し植栽の外周移動で植栽上部からの散水で根元に必要水を供給する迄の作業時間が不確定となり又、重労働となるため管理請負業務での散水作業日は所定時間内での他作業が不履行となる要因を解消するために、▲１▼植栽の根元周辺に直接散水する散水孔を等間隔で左右両側に設けた散水管を▲２▼直管片側に等間隔で水平配置されたＴ型散水分技管に接合し、植栽外部側の端部に給水用延長ホースと接合させる▲３▼継手ホースの３種をそれぞれ接合して地面に直接設置することで無人で管理散水を可能にすることを特徴とする散水器具
【請求項２】
又、考案の散水器具は、事前に植栽の地形・形状を調査して▲１▼散水管、▲２▼散水分技管等を選択・組合せ常設する方式かその都度▲１▼散水管、▲２▼散水分技管等を組合せながら移動散水する方式が選択出来るが、いずれも設置後は無人散水になることで従来の専従労務からの開放と無駄な散水を軽減させることを特徴とする請求項１記載の散水器具。
【請求項３】
又、▲１▼散水管は内径１６ｍｍの透明な硬質塩化ビニ−ル管で管内部の混入物が目視確認が可能な素材で両端部は雄ねじ加工され、端部より１０５ｍｍを基点にして両サイド１４０ｍｍ間隔で散水管芯下方２０°の角度で孔径３ｍｍの散水孔を交互配置し、散水方向を分散させて低木植栽の根元だけを広範囲に散水出来る。▲２▼散水分枝管は内径１６ｍｍの耐蝕・耐圧性がある硬質塩ビニ−ル水道管で両端部は雄ねじ加工され、片側に１４０ｍｍ間隔で雌ねじ加工されたＴ字型の接合部材が配置され、散水管を併合することで適合箇所に広範囲に無駄なく散水が可能になる。▲３▼継手ホースは自在に曲がる蛇腹状のホースで両端部は散水分枝管の端部と給水用延長ホースとを接合し散水機能を最大限発揮させる３種の器材で構成を特徴とする請求項１記載の散水器具
【手続補正書】
【提出日】平成27年7月10日(2015.7.10)
【手続補正１】
【補正対象書類名】実用新案登録請求の範囲
【補正対象項目名】全文
【補正方法】変更
【補正の内容】
【実用新案登録請求の範囲】
【請求項１】
従来の低木植栽への散水方法では植栽の成長により、形状・形態が日々変化する事での生じる過剰労務と過剰散水を解消することを特徴とする低木植栽散水器具。
【請求項２】
植栽の地形・形状・形態に適合した散水器具を接合して植栽の根元だけに常設（ａ）とその都度設置（ｂ）する方式を選択するが、いずれも設置後は専従作業ではなく無人散水で従来の専従労務からの開放と節水を可能にしたことを特徴とする請求項１記載の低木植栽散水器具。
【請求項３】
前記の散水器具は散水管（１）・散水分枝管（２）・継手ホース（３）の３種類で構成され当該植栽への散水は立地・形状・条件に適合した散水管（１）、散水分枝管（２）を選択・接合し散水分枝管の端部と継手ホース（３）を接合する方式を特徴とする請求項１記載の低木植栽散水器具。
【請求項４】
前記の散水管（１）は内径１６ｍｍの透明な硬質塩化ビニール管で管内部の混入物を目視確認が可能な素材で両端部は雄ねじ加工され右端部より１０５ｍｍを基点に１４０ｍｍ間隔で散水管芯下方２０度の角度で孔径３ｍｍの散水孔を交互に配置し散水方向を分散させて低木植栽の根元だけを広範囲に散水することを特徴とする請求項１記載の低木植栽散水器具
【請求項５】
前記の散水分枝管（２）は内径１６ｍｍの耐蝕・耐圧性がある不透明な硬質塩化ビニール管で片側に散水管（１）接合用Ｔ字管（分技口数−１・分技口数−２・分技口数−３）が設置され適合箇所に無駄なく散水出来ることを特徴とする請求項１記載の低木植栽散水器具。
【請求項６】
継手ホース（３）の両端部は散水分枝管の端部と給水用延長ホースとを接合の機能で自在に曲がる蛇腹ホースを特徴とする請求項１記載の低木植栽散水器具
【手続補正２】
【補正対象書類名】明細書
【補正対象項目名】全文
【補正方法】変更
【補正の内容】
【考案の詳細な説明】
【技術分野】
【０００１】本考案は、建築（造園）日用雑貨用品の形状・特性に関する
【背景技術】
【０００２】従来の戸建住宅・中小規模集合住宅の低木植栽への散水は樹木の成長により植栽の形状・形態に変化が生じ、根元に供給する散水量と散水時間が不確定となることで管理請負業務では過剰労務と過剰散水の要因となるばかりか他作業に影響が生じることを解消するため植栽の根元周辺に考案の散水器具を設置することで無人の管理散水が可能にすることを特徴とする低木植栽散水器具。
【考案の概要】
【考案が解決しようとする課題】
【０００３】従来の散水方式では作業効率及び経済効果の向上は難易であるが、この考案で人的労務の軽減（作業効率）と節水（経済効果）の向上を課題とする。
【考案が解決しようとする手段】
【０００４】前記の課題を解決するために第１の考案は従来の植栽上部への散水方式を植栽の根元に直接散水する方式にすることを提供する
【０００５】第２の考案は散水管（１）・散水分枝管（２）・継手ホース（３）の散水器具を植栽の形状・形態に適合した部材を選択・接合・配置の無人散水方式とする。
【０００６】第３の考案は素材を透明な硬質塩化ビニール管の両側面に水平面より下方向に角度２０度で両端部より＠１４０ｍｍ間隔で直径３ｍｍの散水孔を設けた散水管（１）と植栽間隔に適合した散水分技口を配置した不透明な硬質塩化ビニール管の散水分枝管（２）と接合し端部に継手ホース（３）と散水延長ホースを接続して使用する。
【０００７】第４の考案は散水器具を既存の植栽内に常設することで従来の専従作業より開放され散水業務の過剰労務を解消する事ができる。
【考案の効果】
【０００８】第１の考案・第２の考案で従来の作業効率と散水効果を大幅に向上させるばかりか労務負担の軽減で高年齢者及び婦女子の作業人の増員が見込める。第３の考案で散水管（１）を透明硬質塩化ビニール管の両側面に水平面より下方向に角度２０度で直径３ｍｍの散水孔を設けた事でパイプ内に昆虫・砂等の混入の早期発見でき又パイプ内の残水が凍結した場合でも散水管の損傷が回避出来る。又同作業にタイマーを併用し、散水を制御することで作業時間にゆとりが生まれた作業への影響を軽減できる。
【０００９】第４の考案は各形状・形態の低木植栽に考案の散水器具を常設することで、適時の散水が可能となり、従来の散水不足・過剰散水から適合散水に転換でき経済効果に貢献できる。
【図面の簡単な説明】
【００１０】
【図１】本考案の構成図
【図２】本考案の部材の組合せ表
【図３】本考案の実施例図
【符号の説明】
【００１１】▲１▼内径１６ｍｍ（透明）硬質塩ビ管・▲２▼内径１６ｍｍ（不透明）硬質塩ビ管・▲３▼耐圧蛇腹管・▲４▼ジョイント（凸）  ▲５▼ジョイント（凹）・▲６▼エンドキャップ・▲７▼内径１６ｍｍ分技口（Ｌ型）・▲８▼内径１６ｍｍ分技口（Ｔ型）・▲９▼径３ｍｍ散水孔
【考案を実施するための形態】
【００１２】この実施形態によれば考案部材の組合せで様々な低木植栽に適合した散水が可能となる。
【手続補正３】
【補正対象書類名】図面
【補正対象項目名】全図
【補正方法】変更
【補正の内容】
【図１】
0003201787.tif 000006
【図２】
0003201787.tif 000007
【図３】
0003201787.tif 000008
【手続補正書】
【提出日】平成27年10月5日(2015.10.5)
【手続補正１】
【補正対象書類名】実用新案登録請求の範囲
【補正対象項目名】全文
【補正方法】変更
【補正の内容】
【実用新案登録請求の範囲】
【請求項１】
低木植栽の根元に配置される散水器具であって、前記散水器具は、複数の散水孔を有する散水管（１）と、複数の接合部を有する散水分技管（２）と、給水ホースに接続される継手ホース（３）とを有し、散水分技管（２）の接合部に散水管（１）と継手ホ−ス（３）を接合することにより構成されることを特徴とする低木植栽散水器具。
【請求項２】
前記散水管（１）及び前記散水分技管（２）は、植栽の立地または形状に関する条件に応じて選択可能であることを特徴とする請求項１に記載の低木植栽散水器具。
【請求項３】
前記継手ホース（３）は前記散水分技管（２）の端部における接合部に接続されることを特徴とする請求項１に記載の低木植栽散水器具。
【請求項４】
前記散水管（１）は内径１６ｍｍの透明な硬質塩化ビニール管であり、一方の端部より１０５ｍｍを基点に１４０ｍｍ間隔で、かつ散水管（１）芯下方２０度の角度で孔径３ｍｍの散水孔が交互に配置されることを特徴とする請求項１に記載の低木植栽散水器具
【請求項５】
前記の散水分枝管（２）は内径１６ｍｍの耐蝕・耐圧性がある不透明な硬質塩化ビニール管であり、片側に散水管（１）接合用Ｔ字管が設置されていることを特徴とする請求項１に記載の低木植栽散水器具。
【請求項６】
前記継手ホース（３）の両端部は散水分枝管（２）の端部と給水ホースとに接合されることを特徴とする請求項１に記載の低木植栽散水器具
【手続補正２】
【補正対象書類名】明細書
【補正対象項目名】全文
【補正方法】変更
【補正の内容】
【考案の詳細な説明】
【技術分野】
【０００１】本考案は、建築（造園）日用雑貨用品の形状・特性に関する
【背景技術】
【０００２】戸建住宅・中小規模集合住宅の低木植栽の散水は樹木の成長で植栽の形状・形態が変化する事で、植栽の根元に供給するには散水時間と散水量が増すことで、管理請負業務では過剰労務か散水不足となるばかりか、他作業に影響が生じることを解消するために植栽の根元周辺に考案の散水器具を設置することで、管理散水が可能になることを特徴とする低木植栽散水器具。
【考案の概要】
【考案が解決しようとする課題】
【０００３】過剰労務の軽減（作業効率）と節水（経済効果）の向上を課題とする。
【考案が解決しようとする手段】
【０００４】前記の課題を解決するため、従来の植栽上部への散水方式から植栽根元に直接散水する方式を提供する。
【０００５】第１の考案は散水管（１）と散水分枝管（２）と継手ホース（３）の散水器具を植栽の形状・形態に適合する器材を選択・接合・配置することで直接散水方式が可能となる。
【０００６】第２の考案は前記散水管（１）の素材を透明な硬質塩化ビニ‐ル管（昆虫・砂等の混入の早期発見が可能）で両側面にパイプ芯下向２０度で直径３ｍｍの散水孔を＠１４０ｍｍ間隔で交互に配置（パイプ内の残水が凍結した場合でも散水管の損傷回避）又前記散水分技管（２）は不透明な硬質塩化ビニ‐ル管（耐蝕・耐圧性）で片側に散水分技口を等間隔で配置（散水管接合Ｔ字管）尚、前記継手ホース（３）は蛇腹管で端部の給水ホースと接続する。
【０００７】第３の考案は既存の植栽内、新設の植栽に設置することで従来の散水作業より開放され管理請負業務の過剰労務を解消することができる。
【考案の効果】
【０００８】第１の考案・第２の考案で作業効率と散水効果を大幅に向上させるばかりか労務負担の軽減で高年齢者及び婦女子の作業員が見込める。又同作業にタイマーを併用し無人の散水が可能となり、他作業への影響を軽減することが出来る。
【図面の簡単な説明】
【０００９】
【図１】本考案の構成図
【図２】本考案の部材の組合せ表
【図３】本考案による実施形態の簡単な説明図
【符号の説明】
【００１０】▲１▼内径１６ｍｍ（透明）硬質塩ビ管、▲２▼内径１６ｍｍ（不透明）硬質塩ビ管、▲３▼接続ホ−ス（耐圧蛇腹管）、▲４▼ジョイント（凸）、▲５▼ジョイント（凹）、▲６▼エンドキャップ、▲７▼内径１６ｍｍ分技口（Ｌ型）、▲８▼内径１６ｍｍ分技口（Ｔ型）、▲９▼径３ｍｍ散水孔
【考案を実施するための形態】
【００１１】この実施形態によれば考案部材の組合せで様々な低木植栽に適合した散水が可能となる
【手続補正３】
【補正対象書類名】図面
【補正対象項目名】全図
【補正方法】変更
【補正の内容】
【図１】
0003201787.tif 000009
【図２】
0003201787.tif 000010
【図３】
0003201787.tif 000011